(57)【要約】【課題】無線端末の消費電力を低減しつつ、必要な応答の速さを確保する。【解決手段】管理サーバ２は、無線端末５が同期を維持するための同期信号や無線端末５の表示内容を書き換えるための個別データを含む基本フレームを作成し、これを無線端末５に送信して無線端末５の表示内容を更新させることができる。また、管理サーバ２は、無線端末５を論理グループに区分して管理しており、無線端末５が基本フレームごとに同期するアクティブ状態と、基本フレーム１０個ごとに同期する非アクティブ状態を論理グループ単位で切り替えることができる。基本フレームの期間長は３秒に設定されており、このため、無線端末５は、アクティブ状態では３秒ごとに同期信号を受信し、非アクティブ状態では３０秒ごとに同期信号を受信することになる。【選択図】図１
2011171993.tif 000002
【特許請求の範囲】
【請求項１】
受信回路の休止状態を維持する一方、少なくとも自己に対する所定の情報を受信する期間は前記受信回路を動作状態とする無線端末に対して、所定の期間長のフレームによって情報を送信する情報処理装置であって、
前記フレームの期間長を単位として、前記無線端末ごとに同期間隔を指定し、当該指定した同期間隔を前記無線端末に通知する同期間隔情報を生成する同期間隔指定手段と、
前記フレームの同期情報、前記生成した同期間隔情報、前記無線端末ごとの個別データ、及び当該個別データの受信タイミングを用いてフレームを構成するフレーム構成手段と、
前記フレームに構成された情報を送信する通信手段と、
を具備したことを特徴とする情報処理装置。
【請求項２】
前記フレーム構成手段は、前記同期情報に前記同期間隔情報を含めることを特徴とする請求項１に記載の情報処理装置。
【請求項３】
前記同期間隔には、第１の同期間隔と、前記第１の同期間隔よりも長い第２の同期間隔があり、
前記フレーム構成手段は、前記第２の同期間隔を指定する無線端末に対しては、前記個別データと前記受信タイミングを前記フレームに含めないことを特徴とする請求項１、又は請求項２に記載の情報処理装置。
【請求項４】
前記同期情報には、前記無線端末に個別データの有無を通知する個別データ有無情報が含まれていることを特徴とする請求項１、請求項２、又は請求項３に記載の情報処理装置。
【請求項５】
前記無線端末をグループに区分して記憶するグループ記憶手段を具備し、
前記同期間隔指定手段は、前記記憶したグループごとに同期間隔を指定することを特徴とする請求項１から請求項４までのうちの何れか１の請求項に記載の情報処理装置。
【請求項６】
前記区分したグループごとに同期間隔の要求を受け付ける同期間隔要求受付手段を具備し、
前記同期間隔指定手段は、前記受け付けた要求に従って前記グループごとの同期間隔を指定することを特徴とする請求項５に記載の情報処理装置。
【請求項７】
前記フレーム構成手段は、同期間隔を規定する数値を前記グループに対応させて並べた当該数値の列によって前記同期間隔情報を生成することを特徴とする請求項５、又は請求項６に記載の情報処理装置。
【請求項８】
所定の期間長のフレームによって情報を送信する情報処理装置が送信した情報を、受信回路を動作させることにより受信する無線端末であって、
前記フレームの期間長を単位とする同期間隔を指定する同期間隔情報を受信する同期間隔情報受信手段と、
前記受信した同期間隔情報で指定される同期間隔で同期情報を受信する同期情報受信手段と、
前記受信した同期情報に同期して自己宛の個別データの受信タイミングを受信する受信タイミング受信手段と、
前記受信した受信タイミングに従って個別データを受信する個別データ受信手段と、
少なくとも前記同期間隔情報、前記同期情報、前記受信タイミング、前記個別データを受信する期間は前記受信回路を動作状態とし、それ以外の期間は休止状態とする、状態制御手段と、
を具備したことを特徴とする無線端末。
【請求項９】
前記同期間隔情報は、前記同期情報に含まれており、前記同期情報受信手段は、前記同期間隔情報を受信することにより前記同期間隔情報受信手段として機能することを特徴とする請求項８に記載の無線端末。
【請求項１０】
前記同期情報には、前記無線端末に個別データの有無を通知する個別データ有無情報が含まれており、
前記状態制御手段は、前記個別データ有無情報で自己宛の個別データの有無を判断し、自己宛の個別データが無い場合、次回の同期情報を受信するタイミングまで前記受信回路を休止状態にすることを特徴とする請求項８、又は請求項９に記載の無線端末。
【請求項１１】
同期間隔情報は、無線端末のグループごとに同期間隔を指定しており、
自己の属するグループを記憶するグループ記憶手段を具備し、
前記同期情報受信手段は、前記記憶したグループに対して指定されている同期間隔で前記同期情報を受信することを特徴とする請求項８、請求項９、又は請求項１０に記載の無線端末。
【請求項１２】
前記同期間隔情報は、前記グループに対応させて並べた数値の列によって規定されており、
前記同期情報受信手段は、前記記憶したグループに対応する数値によって指定されている同期間隔を取得することを特徴とする請求項１１に記載の無線端末。
【発明の詳細な説明】
【技術分野】
【０００１】
本発明は、情報処理装置、及び無線端末に関し、例えば、無線端末での電力消費を低減するものに関する。
【背景技術】
【０００２】
店舗では、商品の価格などを表示した棚札を商品棚に設置し、顧客の便宜を図っている。
これら棚札は、一般に、紙媒体に印字したり、手書きしたりして作成されるが、近年では、液晶表示部に商品情報を表示する電子棚札が用いられるようになってきた。
電子棚札は、例えば、赤外線や電波などにより表示情報を受信し、これを液晶表示部に表示する。
【０００３】
電子棚札では、消費電力を低減することが重要であり、そのような技術としては、次の特許文献１の「チャンネルサーチ方法、及び、それを用いた通信装置」がある。
この技術は、電波で表示情報を受信する電子棚札において、無線端末となる電子棚札が基地局からのビーコンをサーチする期間、回路を動作状態とし、その他の期間はスリープ状態とすることで消費電力を低減するものである。
【０００４】
電子棚札は、最低でも数年間は小型のバッテリで駆動することが要求されると共に、短時間で大量の電子棚札を書き換える場合があるため、電子棚札の迅速な応答（レスポンス）を確保しつつ、電力消費を抑えることが必要であった。
しかし、従来は、受信データの有無を確認するため、全ての無線端末が、全ての同期信号（ビーコン）を受信する必要があったため、本来スリープ状態にあるべき無線端末までもが無駄に電力を消費するという問題があった。逆に、スリープ状態にある無線端末のために同期期間を長くして電力消費量を低減しようとすると、アクティブ状態にある無線端末のレスポンスが低下することになる。
【先行技術文献】
【特許文献】
【０００５】
【特許文献１】特開２００７−２２１３９２公報
【発明の概要】
【発明が解決しようとする課題】
【０００６】
本発明の目的は、無線端末の消費電力を低減しつつ、必要な応答の速さを確保することである。
【課題を解決するための手段】
【０００７】
請求項１に記載の発明では、受信回路の休止状態を維持する一方、少なくとも自己に対する所定の情報を受信する期間は前記受信回路を動作状態とする無線端末に対して、所定の期間長の（時分割）フレームによって情報を送信する情報処理装置であって、前記フレームの期間長を単位として、前記無線端末ごとに同期間隔を指定し、当該指定した同期間隔を前記無線端末に通知する同期間隔情報を生成する同期間隔指定手段と、前記フレームの同期情報、前記生成した同期間隔情報、前記無線端末ごとの個別データ、及び当該個別データの受信タイミングを用いてフレームを構成するフレーム構成手段と、前記フレームに構成された情報を送信する通信手段と、を具備したことを特徴とする情報処理装置を提供する。
請求項２に記載の発明では、前記フレーム構成手段は、前記同期情報に前記同期間隔情報を含めることを特徴とする請求項１に記載の情報処理装置を提供する。
請求項３に記載の発明では、前記同期間隔には、第１の同期間隔と、前記第１の同期間隔よりも長い第２の同期間隔があり、前記フレーム構成手段は、前記第２の同期間隔を指定する無線端末に対しては、前記個別データと前記受信タイミングを前記フレームに含めないことを特徴とする請求項１、又は請求項２に記載の情報処理装置を提供する。
請求項４に記載の発明では、前記同期情報には、前記無線端末に個別データの有無を通知する個別データ有無情報が含まれていることを特徴とする請求項１、請求項２、又は請求項３に記載の情報処理装置を提供する。
請求項５に記載の発明では、前記無線端末をグループに区分して記憶するグループ記憶手段を具備し、前記同期間隔指定手段は、前記記憶したグループごとに同期間隔を指定することを特徴とする請求項１から請求項４までのうちの何れか１の請求項に記載の情報処理装置を提供する。
請求項６に記載の発明では、前記区分したグループごとに同期間隔の要求を受け付ける同期間隔要求受付手段を具備し、前記同期間隔指定手段は、前記受け付けた要求に従って前記グループごとの同期間隔を指定することを特徴とする請求項５に記載の情報処理装置を提供する。
請求項７に記載の発明では、前記フレーム構成手段は、同期間隔を規定する数値を前記グループに対応させて並べた当該数値の列によって前記同期間隔情報を生成することを特徴とする請求項５、又は請求項６に記載の情報処理装置を提供する。
請求項８に記載の発明では、所定の期間長の（時分割）フレームによって情報を送信する情報処理装置が送信した情報を、受信回路を動作させることにより受信する無線端末であって、前記フレームの期間長を単位とする同期間隔を指定する同期間隔情報を受信する同期間隔情報受信手段と、前記受信した同期間隔情報で指定される同期間隔で同期情報を受信する同期情報受信手段と、前記受信した同期情報に同期して自己宛の個別データの受信タイミングを受信する受信タイミング受信手段と、前記受信した受信タイミングに従って個別データを受信する個別データ受信手段と、少なくとも前記同期間隔情報、前記同期情報、前記受信タイミング、前記個別データを受信する期間は前記受信回路を動作状態とし、それ以外の期間は休止状態とする、状態制御手段と、を具備したことを特徴とする無線端末を提供する。
請求項９に記載の発明では、前記同期間隔情報は、前記同期情報に含まれており、前記同期情報受信手段は、前記同期間隔情報を受信することにより前記同期間隔情報受信手段として機能することを特徴とする請求項８に記載の無線端末を提供する。
請求項１０に記載の発明では、前記同期情報には、前記無線端末に個別データの有無を通知する個別データ有無情報が含まれており、前記状態制御手段は、前記個別データ有無情報で自己宛の個別データの有無を判断し、自己宛の個別データが無い場合、次回の同期情報を受信するタイミングまで前記受信回路を休止状態にすることを特徴とする請求項８、又は請求項９に記載の無線端末を提供する。
請求項１１に記載の発明では、同期間隔情報は、無線端末のグループごとに同期間隔を指定しており、自己の属するグループを記憶するグループ記憶手段を具備し、前記同期情報受信手段は、前記記憶したグループに対して指定されている同期間隔で前記同期情報を受信することを特徴とする請求項８、請求項９、又は請求項１０に記載の無線端末を提供する。
請求項１２に記載の発明では、前記同期間隔情報は、前記グループに対応させて並べた数値の列によって規定されており、前記同期情報受信手段は、前記記憶したグループに対応する数値によって指定されている同期間隔を取得することを特徴とする請求項１１に記載の無線端末を提供する。
【発明の効果】
【０００８】
本発明によれば、無線端末によって同期間隔を変化させることにより、無線端末の消費電力を低減しつつ、必要な速さでデータ通信を行えるようにすることができる。
【図面の簡単な説明】
【０００９】
【図１】第１の実施の形態の無線通信システムのネットワーク構成の一例を示した図である。
【図２】管理サーバなどのハードウェア的な構成の一例を示した図である。
【図３】端末ＤＢの論理的な構成の一例を示した図である。
【図４】基本フレームの構成を説明するための図である。
【図５】全ての論理グループが非アクティブ状態の場合の同期期間を説明するための図である。
【図６】アクティブ状態の論理グループと非アクティブ状態の論理グループが混在する場合の同期期間を説明するための図である。
【図７】無線端末の状態を切り替える場合の同期期間を説明するための図である。
【図８】基本フレームによる個別データの送信例を説明するための図である。
【図９】基本フレームによる個別データの送信例を説明するための図である。
【図１０】データ受付処理などを説明するためのフローチャートである。
【図１１】データ送信処理などを説明するためのフローチャートである。
【図１２】表示処理を説明するためのフローチャートである。
【図１３】第２の実施の形態の無線通信システムのネットワーク構成の一例を示した図である。
【図１４】ログイン処理を説明するためのフローチャートである。
【図１５】管理サーバ、中継機、無線端末の有する各手段を示した図である。
【発明を実施するための形態】
【００１０】
（１）実施形態の概要
無線通信システム１（図１）は、電子棚札システムとして機能し、無線端末５は、商品棚に商品と対応して設置されている。
管理サーバ２は、無線端末５が同期を維持するための同期信号や無線端末５の表示内容を書き換えるための個別データを含む基本フレームを作成し、これを無線端末５に送信して無線端末５の表示内容を更新させることができる。
【００１１】
また、管理サーバ２は、無線端末５を論理グループ（例えば、売場ごとのグループ）に区分して管理しており、無線端末５が基本フレームごとに同期するアクティブ状態と、基本フレーム１０個ごとに同期する非アクティブ状態を論理グループ単位で切り替えることができる。
基本フレームの期間長は３秒に設定されており、このため、無線端末５は、アクティブ状態では３秒ごとに同期信号を受信し、非アクティブ状態では３０秒ごとに同期信号を受信することになる。
【００１２】
一方、無線端末５は、自己宛の個別データが送信されてこない場合、同期信号を受信する期間以外では受信動作を休止して消費電力を低減するように構成されている。
そこで、管理サーバ２は、表示内容の更新が必要な無線端末５の属する論理グループに関しては、これをアクティブ状態に設定してレスポンスを早める一方、表示内容の更新が必要ない論理グループに関しては非アクティブ状態に設定して消費電力を低減しつつ同期状態を維持する。
【００１３】
このように無線通信システム１では、無線端末５を論理グループにグルーピングし、各論理グループごとに動作モード（アクティブ状態／非アクティブ状態）を設定可能とすることにより、異周期で同期する無線端末５を収容する。
そして、アクティブ状態となっている論理グループは、短い同期間隔で管理サーバ２と同期し、素早い表示切り替えが可能となると共に非アクティブな論理グループでは、電池の消耗を押さえる省電力なシステムが実現できる。
【００１４】
（２）実施形態の詳細
（第１の実施の形態）
図１は、第１の実施の形態の無線通信システム１のネットワーク構成の一例を示した図である。
無線通信システム１は、電子棚札システム（電子ラベルシステム）であって、大型小売店舗に設置されており、商品棚に固定設置されて電子棚札として機能する多数の無線端末５（受信端末）、無線端末５の表示内容や無線端末５の状態を管理する管理サーバ２、及び管理サーバ２と無線端末５の通信を中継する数台の中継機３ａ、３ｂ、・・・（送信装置）などから構成されている。
また、図示しないが、店員が店内で携帯し、無線端末５の表示を書き換えるための携帯端末（ハンディターミナル）も存在する。
【００１５】
無線通信システム１では、例えば、閉店後や開店前の１〜２時間程度に無線端末５の表示内容の書き換えが行われるほか、開店時間中も必要に応じて表示内容が書き換えられる。
以下、中継機や無線端末を特に区別しない場合には、単に中継機３、無線端末５と記すことにする。
【００１６】
管理サーバ２は、無線端末５と通信し、これらの表示内容を設定するアプリケーションを備えたサーバであり、店舗の事務所などに設置されている。
管理サーバ２は、有線ＬＡＮ（Ｌｏｃａｌ  Ａｒｅａ  Ｎｅｔｗｏｒｋ）又は無線ＬＡＮによって中継機３と接続されており、これら中継機３を介して無線端末５と通信する。
管理サーバ２は、データ送信完了までの時間を短くする目的で期間長が３秒の基本フレームを用いて同期信号や無線端末５に対する個別データを送信する。
なお、データ送信完了までの時間を短くする必要がないデータの送信の場合、期間長が３０秒の基本フレームを用いて個別データを送信することもある。これについては、第３の実施の形態で説明する。
【００１７】
管理サーバ２は、例えば、医薬品、精肉、鮮魚、野菜など、売場の商品カテゴリに対応させた論理グループに区分して無線端末５を管理しており、同期信号に設定するアクティブグループ情報によって、無線端末５の同期間隔を論理グループ単位でアクティブ状態（同期間隔３秒）と非アクティブ（ノンアクティブ）状態（同期間隔３０秒）に切り替えることができる。
なお、無線端末５の論理グループ分けは、設置された棚ごとなど、他の論理に従って行ってもよい。
これら論理グループは、無線端末５が商品棚に設置され管理サーバ２に登録する際に、担当者が手動で割り振るなどしてグループ番号が割り振られる。
【００１８】
管理サーバ２は、無線端末５の表示を更新する必要がない場合は、全ての論理グループを非アクティブ状態にして無線端末５の消費電力を低減する。
そして、管理サーバ２は、無線端末５の表示を更新する必要が生じた場合、当該無線端末５の属する論理グループをアクティブ状態に切り替えて高速に表示内容の更新を行い、当該更新が終了した後、当該論理グループの状態を非アクティブ状態に戻す。
このように、無線通信システム１では、アクティブ状態と非アクティブ状態の２種類の同期間隔が混在することができる。
【００１９】
中継機３は、店舗の天井や柱などに設置され、管理サーバ２とＬＡＮによる通信を行うと共に、近辺に存在する無線端末５と近距離の無線通信を行い、管理サーバ２と無線端末５の通信を中継する。
無線方式としてはＲＦ（Ｒａｄｉｏ  Ｆｒｅｑｕｅｎｃｙ）や赤外線などを用いることができる。
【００２０】
このように、管理サーバ２と無線端末５の通信を中継機３に中継させるのは、無線端末５に中継機３との近距離無線通信を行わせたほうが、無線端末５に遠距離の無線通信を行わせる場合よりも無線端末５の消費電力を低減することができるためである。
【００２１】
また、各中継機３は、通信タイミングが重ならないように従属位相同期を行っている。
即ち、中継機３群に木構造を設定し、各中継機３は、直属の親中継機３の発する同期信号を基準として同期信号を送信する。
【００２２】
無線端末５は、電子棚札であって、管理サーバ２から指定された同期間隔で同期して管理サーバ２と通信する機能や、液晶画面に商品の名称や価格などを表示するプログラムを搭載している。
図で無線端末５に記された番号は、当該無線端末５の端末ＩＤを（１〜２桁に略記して）表している。
【００２３】
また、無線端末５には、中継機グループと論理グループが設定されている。
中継機グループは、無線端末５が通信する中継機３ごとに設定されるグループであり、無線端末５は、当該中継機３の発する同期信号に同期して当該中継機３と無線通信する。
例えば、中継機グループ６ａ（図では、中継機グループを中継機Ｇと略記している）に属する無線端末５（端末ＩＤが１、２、６、・・・、８）は、中継機３ａと通信する。
【００２４】
一方、論理グループは、通信する中継機３に関係なく無線端末５に論理的に設定したグループであり、精肉売場、青果売場など、店舗の運用に便利なように任意に設定することができる。
例えば、端末ＩＤが６の無線端末５と、端末ＩＤが１５の無線端末５は、中継機グループが異なるが、共に論理グループ０（論理グループを論理Ｇと略記している）に属している。このように、論理グループは、中継機グループに対して横断的に設定することができる。
【００２５】
無線端末５は、管理サーバ２から論理グループの通知を受けて、自己の論理グループを記憶することができる。
そして、無線端末５は、同期信号に含まれるアクティブグループ情報により、自己のグループがアクティブ状態、非アクティブ状態の何れに設定されているか判断する。
そして、無線端末５は、自己の論理グループがアクティブ状態に設定されている場合は、３秒後に次の同期信号を受信し、非アクティブ状態に設定されている場合は、３０秒後に次の同期信号を受信する。
【００２６】
このように、無線端末５は、同期信号を受信するごとに次回の同期信号を受信するタイミングの指定を受けるため、アクティブグループ情報で自己の論理グループがアクティブ状態に設定されている間は３秒ごとに同期信号を受信して同期を維持し、非アクティブ状態に設定されている間は３０秒ごとに同期信号を受信して同期を維持する。
そして、無線端末５は、アクティブ状態から非アクティブ状態に切り替わった場合は、３０秒後に次の同期信号を受信し、非アクティブ状態からアクティブ状態に切り替わった場合は、３秒後に次の同期信号を受信する。
【００２７】
図示しない携帯端末は、担当者が店内に携帯し、表示を書き換えたい無線端末５があった場合には、その無線端末５の端末ＩＤ（バーコードで読み取り可能となっている）と書き換え内容を携帯端末に入力すると、近距離無線の電波状態の強度が最も高い中継機３を介して、若しくは直接無線ＬＡＮなどを経由して、その情報を管理サーバ２に送信する。
管理サーバ２は、送信された情報に従って、無線端末５の表示内容を更新するよう無線端末５に表示情報を送信する。
【００２８】
図２は、管理サーバ２、中継機３、及び無線端末５のハードウェア的な構成の一例を示した図である。
管理サーバ２は、ＣＰＵ２１、ＲＡＭ２２、記憶媒体２３、クロック２４、表示部２５、操作部２６、ＬＡＮ接続Ｉ／Ｆ（インターフェース）２７などから構成されている。
ＣＰＵ２１は、記憶媒体２３などに記憶されたプログラムを実行して各種演算を行ったり管理サーバ２の各部を制御したりする中央処理装置である。
ＲＡＭ２２は、ＣＰＵ２１に対してワーキングメモリを提供するランダムアクセスメモリである。
【００２９】
記憶媒体２３は、例えば、ハードディスクや半導体装置などによって構成されており、各種のプログラムやデータを記憶している。
本実施の形態では、無線端末５を中継機グループや論理グループに分けて管理したり、論理グループごとにアクティブ状態・非アクティブ状態を設定したり、無線端末５と通信するためのプログラムや、無線端末５を登録した端末ＤＢ（データベース）などを記憶している。
クロック２４は、例えば、水晶発振器などによって構成され、クロック信号を生成する。
【００３０】
表示部２５は、例えば、液晶ディスプレイなどによって構成されており、担当者が管理サーバ２を操作する際の操作画面などの各種画面を表示する。
操作部２６は、例えば、キーボードやマウスなどの操作端末を備えており、担当者から管理サーバ２の操作を受け付ける。
ＬＡＮ接続Ｉ／Ｆ２７は、有線、又は無線ＬＡＮであり、中継機３との通信を行う。
【００３１】
中継機３は、ＣＰＵ３１、ＲＡＭ３２、記憶媒体３３、クロック３４、ＬＡＮ接続Ｉ／Ｆ３５、近距離無線Ｉ／Ｆ３６などを備えている。
ＣＰＵ３１は、記憶媒体３３などに記憶されたプログラムを実行して中継機能を発揮したり中継機３の各部を制御する中央処理装置である。
ＲＡＭ３２は、ＣＰＵ３１に対してワーキングメモリを提供するランダムアクセスメモリであり、管理サーバ２から送信されてきた情報を無線端末５に対して送信する際に、これを一時的に記憶したりする。
【００３２】
記憶媒体３３は、例えば、半導体装置などによって構成されており、各種のプログラムやデータを記憶しており、本実施の形態では、管理サーバ２と無線端末５の通信を中継するためのプログラムや、自己の固有情報である中継機ＩＤなどを記憶している。
クロック３４は、例えば、水晶発振器などによって構成され、クロック信号を生成する。
ＬＡＮ接続Ｉ／Ｆ３５は、有線、又は無線ＬＡＮであり、管理サーバ２との通信を行う。
近距離無線Ｉ／Ｆ３６は、無線端末５と近距離の無線通信を行う。
【００３３】
無線端末５は、ＣＰＵ５１、ＲＡＭ５２、記憶媒体５３、ＲＯＭ５４、表示部５５、近距離無線Ｉ／Ｆ５６、バッテリ５７、クロック５９などから構成されている。
ＣＰＵ５１は、記憶媒体５３などに記憶されたプログラムを実行して電子棚札機能を発揮したり無線端末５の各部を制御する中央処理装置である。
ＲＡＭ５２は、ＣＰＵ５１に対してワーキングメモリを提供するランダムアクセスメモリである。
ＲＯＭ５４は、無線端末５が動作するための基本的なプログラムやパラメータなどを記憶したリードオンリメモリである。
【００３４】
記憶媒体５３は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体装置によって構成されており、各種のプログラムやデータを記憶している。
本実施の形態では、中継機３を介して管理サーバ２と通信し、表示部５５に表示を行う機能、同期信号に含まれるアクティブグループ情報を確認して次回の同期タイミングを設定する機能などをＣＰＵ５１に発揮させるプログラムや、自己の端末ＩＤ、自己の属する論理グループの論理グループ番号（図では論理Ｇ番号と略記している）などを記憶している。
【００３５】
表示部５５は、例えば、メモリ性液晶表示装置を用いて構成されており、表示内容の書き換え時に電力を消費し、表示期間中は電力を消費しないように構成されている。
近距離無線Ｉ／Ｆ５６は、送受信回路を用いて構成されており、ＣＰＵ５１によって駆動されることにより中継機３と近距離の無線通信を行う。
クロック５９は、例えば、水晶発振器などによって構成されており、無線端末５が各種処理を行うためのクロックを発生する。ＣＰＵ５１は、次回の同期信号の受信タイミングをクロック５９によって計測する。
バッテリ５７は、例えば、所謂ボタン電池などで構成されており、無線端末５が駆動するための電力を供給する。
【００３６】
無線端末５は、近距離無線Ｉ／Ｆ５６を駆動して無線送受信を行うが、消費電力を低減するために、基本フレーム中の同期信号を受信する期間と、自己宛の個別データなどを受信する期間以外の自己に必要のない期間は休止し、同期信号や個別データを受信する際に休止状態から起床してこれらの情報を受信するようになっている。
このため、無線端末５は、受信回路の休止状態を維持する一方、少なくとも自己に対する所定の情報を受信する期間は受信回路の動作状態を維持する無線端末として機能している。
【００３７】
図３は、管理サーバ２の記憶媒体２３が記憶する端末ＤＢの論理的な構成の一例を示した図である。
端末ＤＢは、「中継機ＩＤ」、「端末ＩＤ」、「論理グループ番号」などの項目から構成されている。
項目「中継機ＩＤ」は、各中継機３のＩＤ情報である。
項目「端末ＩＤ」は、「中継機ＩＤ」に登録されている中継機に対応づけられている無線端末５の端末ＩＤであり、これにより、中継機グループが設定される。
項目「論理グループ番号」は、無線端末５に設定した論理グループの番号である。これによって、無線端末５の論理グループが規定される。
このようにして、端末ＤＢにより、各無線端末５の中継機グループと論理グループが設定される。例えば、端末ＩＤ「６」の無線端末５は、中継機ＩＤ「１」の中継機グループに属し、かつ、論理グループ番号「０」の論理グループに属する。
【００３８】
図４は、基本フレームの構成を説明するための図である。
基本フレームは、無線端末５に情報を送信するための時分割フォーマットであり、一例として期間長は３秒に設定されている。
そして、当該期間長内には、無線端末５に同期信号を送信する同期期間、無線端末５に個別データを送信するデータ期間、及び無線端末５から管理サーバ２に送信するデータがある場合にはこれを送信する端末送信期間が、この順に設けられている。
【００３９】
同期期間には、各中継機グループ用の同期信号が時分割されて設定されており、各同期信号には、同期データ、アクティブグループ情報、端末リスト情報、その他の情報が設定されている。
同期データは、無線端末５が中継機３と同期をとるための情報である。無線端末５が有するクロックは、精度の関係から時間がずれてくるので、無線端末５は、同期データを用いて同期タイミングを補正する。
【００４０】
アクティブグループ情報は、アクティブな論理グループと非アクティブな論理グループを無線端末５に通知するための情報である。
アクティブグループ情報は、（０、１、０、・・・）などといった０と１からなる２値の数列から構成されている。以下、この２値の数値によるビット情報を状態ビット（待機状態ビット）と呼ぶことにする。
状態ビットの「０」は非アクティブ状態を表しており、「１」はアクティブ状態を表している。
【００４１】
また、状態ビットの位置は論理グループに対応しており、左端の状態ビットは論理グループ０に対応し、次の状態ビットは論理グループ１に対応し、以下、同様に状態ビットが論理グループに対応している。
無線端末５は、自己の論理グループの状態ビットを確認し、状態ビットが「０」（非アクティブ状態）であれば、次は３０秒後に同期信号を受信し、状態ビットが「１」（アクティブ状態）であれば、次は３秒後に同期信号を受信する。
【００４２】
端末リスト情報は、端末リストが存在しない場合は作成されず、端末リストが存在する場合は端末リストの受信タイミングを表す。なお、端末リストは、基本フレームに個別データが含まれていない場合は設定されない。
無線端末５は、端末リスト情報が存在しない場合は、基本フレームに個別データが存在しないため、次回の同期信号受信タイミングまで休止状態となって消費電力を低減する。
一方、端末リスト情報がある場合は、一端休止した後、端末リスト受信タイミングで起床して端末リストを受信する。
【００４３】
このように端末リスト情報で端末リストの有無を判断してから端末リストを受信するように構成したのは、なるべく端末リストの受信機会を減らすためである。
端末リストの情報量は、端末リスト情報の情報量より多いため、このように、端末リストの有無を予め同期信号で判断できるようにして無線端末５の消費電力を低減することができる。
【００４４】
データ期間には、端末リストと個別データが設定されている。
端末リストは、個別データを受信する無線端末５の端末ＩＤと受信タイミング（個別データの送信開始タイミング）をリスト化したものである。
無線端末５は、端末リスト情報が存在する場合は、端末リスト情報で指定されたタイミングで端末リストを受信し、当該端末リストに自己の端末ＩＤが含まれているか否かを判断する。
【００４５】
端末リストに自己の端末ＩＤが含まれていない場合、無線端末５は、次の同期信号を受信するタイミングまで休止状態となって消費電力を低減する。
一方、端末リストに自己の端末ＩＤが含まれている場合、無線端末５は、一端休止状態となった後、端末リストで指定されたタイミングに起床して個別データを受信し、その後、次回の同期信号を受信するタイミングまで再び休止状態となって消費電力を低減する。
【００４６】
個別データは、無線端末５の表示を更新するためのデータ、無線端末５に所定の動作をさせるためのコマンド、無線端末５に搭載したプログラムをアップデートするための更新プログラムなどから構成されている。
【００４７】
端末送信期間は、無線端末５から管理サーバ２に送信するデータが存在する場合に、これを送信する期間である。
これにより、無線端末５は、管理サーバ２に対してシステム参加要求送信をしたり、電池の残量や故障の発生を通知したり、温度計などのセンサを登載している場合は計測値を送信したりすることができる。
【００４８】
このように構成された基本フレームを用いて無線端末５は、次のように動作する。
無線端末５は、同期信号を受信するタイミングで休止状態から起床して同期信号を受信し、同期データを用いて中継機３との同期をとり、アクティブグループ情報を受信する。
無線端末５は、アクティブグループ情報で自己の論理グループがアクティブに設定されている場合は、次の同期信号の受信タイミングを３秒後に設定し、非アクティブに設定されている場合は、３０秒後に設定する。
【００４９】
次いで、無線端末５は、端末リスト情報の受信を試み、端末リスト情報が送信されてこなかった場合、当該基本フレームには、個別データがないため、無線端末５は、アクティブグループ情報で規定される次の同期信号まで休止状態となる。
一方、端末リスト情報が送信されてきた場合には、同期信号を受信した後休止状態となり、端末リスト情報で指定されるタイミングに起床して端末リストを受信する。
【００５０】
そして、無線端末５は、端末リストを参照して、自己の端末ＩＤが存在するか否かを確認し、存在する場合には、休止状態となった後、端末リストで指定されているタイミングで起床して個別データの受信を行う。そして、個別データを用いて表示の更新などを行う。
一方、端末リストに当該無線端末５の端末ＩＤが存在しない場合には、自己宛の個別データが存在しないため、無線端末５は、アクティブグループ情報で規定される次の同期信号を受信するタイミングまで休止状態となる。
【００５１】
なお、無線端末５から管理サーバ２に送信する何らかのデータが存在する場合、無線端末５は、端末送信期間で起床して当該データを管理サーバ２に送信し、その後、アクティブグループ情報で規定される次の同期信号が送信されてくるタイミングまで休止する。
このように、無線端末５は、自己に関係のない期間は休止状態となることにより、消費電力の低減を図っている。
【００５２】
図５は、全ての論理グループが非アクティブ状態の場合における無線端末５の同期周期を説明するための図である。
図５は、管理サーバ２が無線端末５への情報を基本フレーム１００ａ、１００ｂ、・・・により、図示した順序で無線端末５に送信する場合を表している。
項目「アクティブグループ情報」（図では「アクティブＧ情報」）は、図４に示した同期信号内のアクティブグループ情報を表している。ここでは、アクティブグループ情報は、非アクティブ状態に対応する状態ビット「０」とアクティブ状態に対応する状態ビット「１」から成る５個の状態ビットの列で表されており、左から論理グループ０、・・・、論理グループ４に対応している。
また、項目「論理グループ０」（図では「論理Ｇ０」）は、論理グループ０内の無線端末５の同期間隔を示しており、実線は、アクティブ状態、点線は非アクティブ状態を表している。
【００５３】
まず、基本フレーム１００ａでは、アクティブグループ情報が（０００００）であるため、全ての論理グループの無線端末５が非アクティブ状態に該当し、これら無線端末５は、次回の同期信号受信タイミングを３０秒後（基本フレーム×１０）に設定する。
その結果、次回の同期信号受信タイミングは、９個の基本フレーム１００ｂ〜１００ｊをスキップして基本フレーム１０１ａの同期信号となる。
無線端末５は、基本フレーム１００ｂ〜１００ｊが送信される間は休止状態となって消費電力の低減を図る。
【００５４】
次に、無線端末５は、基本フレーム１０１ａの同期信号を受信するが、ここでもアクティブグループ情報が（０００００）であるため、全ての論理グループの無線端末５が、次回の同期信号受信タイミングを３０秒後に設定し、その間、休止状態となって消費電力を低減する。
【００５５】
具体的に、例えば、論理グループ０に属する無線端末５は、次のように動作する。
まず、無線端末５は、基本フレーム１００ａにおいて同期信号を受信し、同期信号の中のアクティブグループ情報を認識する。ここで自身のアクティブ／非アクティブ状態を指示する０番目（状態ビットは、左端から０番目、１番目、・・・と数えることにする）の状態ビットを読み取り、０であることを確認する。これにより自身が非アクティブ状態であると判断し、次の同期信号受信タイミングは３０秒後であると認識して、基本フレーム１００ｂ〜１００ｊによる情報が送信されてくる間は休止状態となる。ただし、基本フレーム１００ａに関しては、端末リスト情報や端末リストの確認、及び個別データの受信動作を行う。
【００５６】
なお、管理サーバ２は、個別データのない論理グループを非アクティブ状態とするため、本実施の形態では、通常無線端末５は、基本フレーム１００ａの端末リスト情報で個別データが存在しないことを確認して、その時点から休止状態を開始することになる。
また、後述する第３の実施の形態では、基本フレーム１００ａに個別データを設定して、無線端末５を３０秒間隔で同期させながら無線端末５に情報を送信する変形例について説明する。
【００５７】
次に、無線端末５は、基本フレーム１０１ａの同期信号を受信するために起床して同期を維持する。
そして、無線端末５は、基本フレーム１０１ａのアクティブグループ情報において、０番目の状態ビットが０であることを確認すると、次の同期信号受信タイミングは３０秒後であると認識して、その間再び休止状態となる。ただし、基本フレーム１０１ａに関しては、端末リスト情報や端末リストの確認、及び個別データに受信動作を行う。
【００５８】
図６は、アクティブ状態の論理グループと非アクティブ状態の論理グループが混在する場合における無線端末５の同期周期を説明するための図である。
図６の構成は、図５と同様である。この例では、全ての基本フレームでアクティブグループ情報が（００１０１）に設定されているため、論理グループ２、４はアクティブ状態となり、論理グループ０、１、３は非アクティブ状態となる。
【００５９】
アクティブ状態である論理グループ２に属する無線端末５の動作は、次のようになる。
まず、無線端末５は、基本フレーム１００ａにおいて同期信号を受信し、同期信号の中のアクティブグループ情報を認識する。ここで自身のアクティブ／非アクティブ状態を指示する２番目（左端から３番目）の状態ビットを読み取り、１であることを確認する。これにより自身がアクティブ状態であると判断し、次の同期信号受信タイミングは３秒後であると認識し、基本フレーム１００ａにおいて、端末リスト情報や端末リストの確認、及び個別データに受信動作を行った後、３秒後の基本フレーム、即ち、次の基本フレーム１００ｂの同期信号を受信する。
【００６０】
そして、無線端末５は、基本フレーム１００ｂにおいて同期信号を受信し、同期信号の中のアクティブグループ情報を認識する。ここで自身のアクティブ／非アクティブ状態を指示する２番目（図では左端から３番目）の状態ビットが１であることを確認する。これにより自身が引き続きアクティブ状態であると判断し、次の同期信号受信タイミングは３秒後であると認識して、基本フレーム１００ｂにおいて、端末リスト情報や端末リストの確認、及び個別データに受信動作を行った後、３秒後の基本フレーム、即ち、次の基本フレーム１００ｃの同期信号を受信する。
以下、論理グループ２に属する無線端末５は、同様の動作を後続の基本フレーム１００ｄ（図示せず）以降に対して行う。
論理グループ４に属する無線端末５の動作は、自身のアクティブ／非アクティブ状態を指示する４番目（左端から５番目）の状態ビットを読み取ること以外は、論理グループ２に属する無線端末５と同様である。
【００６１】
このように、無線通信システム１では、アクティブグループ情報に状態ビットを設定することにより、３秒間隔で同期する無線端末５と３０秒間隔で同期する無線端末５が混在することができる。
【００６２】
図７は、無線端末５のアクティブ／非アクティブ状態を、途中で切り替える場合の動作を説明するための図である。
この例では、論理グループ３に属する無線端末５を非アクティブ状態からアクティブ状態に切り替え、論理グループ４に属する無線端末５をアクティブ状態から非アクティブ状態に切り替える。
【００６３】
まず、論理グループ３に属する無線端末５は、基本フレーム１００ａにおいて同期信号を受信し、同期信号の中のアクティブグループ情報を認識する。ここで自身のアクティブ／非アクティブ状態を指示する３番目（左端から４番目）の状態ビットが０であることを確認する。これにより自身が非アクティブ状態であると判断し、次の同期信号受信タイミングは３０秒後であると認識し、基本フレーム１００ａで端末リスト情報の確認など通常の動作をした後、休止状態を経て、次に基本フレーム１０１ａで同期信号を受信する。
当該無線端末５は、基本フレーム１０１ａにおいて同期信号を受信し、同期信号の中のアクティブグループ情報を認識する。ここで自身のアクティブ／非アクティブ状態を指示する３番目（左端から４番目）の状態ビットが１であることを確認する。これにより自身が非アクティブ状態からアクティブ状態に移行したと判断し、次の同期信号受信タイミングは３秒後であると認識して、基本フレーム１０１ａで通常の動作を行った後、次に基本フレーム１０１ｂの同期信号を受信する。
【００６４】
基本フレーム１０１ｂの同期信号の中のアクティブグループ情報においても、自身のアクティブ／非アクティブ状態を指示する３番目の状態ビットが１であるため、無線端末５は、自身が引き続きアクティブ状態であると判断し、次の同期信号受信タイミングは３秒後であると認識し、基本フレーム１０１ｂに関する通常の動作を行った後、次に基本フレーム１０１ｃの同期信号を受信する。無線端末５は、以下、同様の動作を繰り返す。
このようにして論理グループ３に属する無線端末５は、基本フレーム１００ａ〜１００ｊまでは非アクティブ状態で動作し、基本フレーム１０１ａ以降はアクティブ状態で動作する。
【００６５】
一方、論理グループ４に属する無線端末５は、基本フレーム１００ａにおいて同期信号を受信し、同期信号の中のアクティブグループ情報を認識する。ここで自身のアクティブ／非アクティブ状態を指示する４番目（左端から５番目）の状態ビットが１であることを認識する。これにより自身がアクティブ状態であると判断し、次の同期信号受信タイミングは３秒後であると認識し、基本フレーム１００ａに関する通常の動作を行った後、次に基本フレーム１００ｂで同期信号を受信する。
基本フレーム１００ｂにおいて同期信号を受信し、同期信号の中のアクティブグループ情報を認識する。ここで自身のアクティブ／非アクティブ状態を指示する４番目の状態ビットが１であるため、無線端末５は、自身が引き続きアクティブ状態であると判断し、次の同期信号受信タイミングは３秒後であると認識して、基本フレーム１００ｂに関する通常の動作を行った後、次に基本フレーム１００ｃの同期信号を受信する。無線端末５は、以下、同様の動作を基本フレーム１００ｊまで繰り返す。
【００６６】
更に、無線端末５は、基本フレーム１０１ａで同期信号を受信し、同期信号の中のアクティブグループ情報を認識する。ここで自身のアクティブ／非アクティブ状態を指示する４番目（左端から５番目）の状態ビットが０であることを確認する。これにより自身がアクティブ状態から非アクティブ状態に遷移したと判断し、次の同期信号受信タイミングは３０秒後であると認識し、基本フレーム１０１ａで端末リスト情報の確認など通常の動作をした後、休止状態を経て基本フレーム１０１ａから数えて１０個目の基本フレーム１０１ｊ（図示せず）の次の基本フレームで同期信号を受信する。
【００６７】
このようにして論理グループ４に属する無線端末５は、基本フレーム１００ａ〜１００ｊまではアクティブ状態で動作し、基本フレーム１０１ａ以降は非アクティブ状態で動作する。
このように、無線通信システム１では、同期信号内のアクティブグループ情報の状態ビットを変更することにより、論理グループ単位で無線端末５の同期間隔を変更することができる。
【００６８】
図８の各図は、基本フレームによる個別データの送信例を説明するための図である。
ここで、中継機３ａの中継機グループは、論理グループ１の一部と論理グループ２、中継機３ｂの中継機グループは、論理グループ１の一部と論理グループ０の一部、中継機３ｃの中継機グループは、論理グループ０の一部を含んでいるものとする。
即ち、論理グループ０は、中継機３ｂ、３ｃの中継機グループに渡って設定されており、論理グループ１は、中継機３ａ、３ｂの中継機グループに渡って設定されており、論理グループ２は、中継機３ａの中継機グループに含まれている場合を考える。
【００６９】
図８（ａ）は、管理サーバ２が論理グループ２に属する無線端末５に向けて基本フレームによる情報を送信する場合を表している。
表示スペースを省略するため、図では、端末リストをリストと記し、個別データをデータと記してある。
図に示したように、同期期間では、中継機３ａ、３ｂ、３ｃごと（即ち、中継機グループごと）の同期信号が時分割により送信される。
【００７０】
論理グループ２の無線端末５は、全て中継機３ａの中継機グループに属するため、中継機３ａから送信される同期信号に同期している。
そして、当該無線端末５は、中継機３ａから送信されてくる同期信号の端末リスト情報の有無を判断し、端末リスト情報が存在する場合には、端末リスト情報で指定されているタイミングで端末リストを受信し、更に、端末リストに自己の端末ＩＤが指定されている場合には、端末リストで指定されたタイミングで個別データを受信する。
このように、当該端末リストには、中継機３ａ配下の論理グループ２向けの個別データの開始時刻情報が含まれている。
【００７１】
図８（ｂ）は、管理サーバ２が論理グループ１に属する無線端末５に向けて基本フレームによる情報を送信する場合を表している。
論理グループ１の無線端末５のうち、中継機３ａの中継機グループに属する無線端末５は、中継機３ａから送信される同期信号に同期している。
そして、当該無線端末５は、中継機３ａから送信されてくる同期信号の端末リスト情報の有無を判断し、端末リスト情報が存在する場合には、端末リスト情報で指定されているタイミングで端末リストを受信し、更に、端末リストに自己の端末ＩＤが指定されている場合には、端末リストで指定されたタイミングで個別データを受信する。
このように、当該端末リストには、中継機３ａ配下の論理グループ１向けの個別データの開始時刻情報が含まれている。
【００７２】
一方、論理グループ１の無線端末５のうち、中継機３ｂの中継機グループに属する無線端末５は、中継機３ｂから送信される同期信号に同期している。
そして、当該無線端末５は、中継機３ｂから送信されてくる同期信号の端末リスト情報の有無を判断し、端末リスト情報が存在する場合には、端末リスト情報で指定されているタイミングで端末リストを受信し、更に、端末リストに自己の端末ＩＤが指定されている場合には、端末リストで指定されたタイミングで個別データを受信する。
このように、当該端末リストには、中継機３ｂ配下の論理グループ１向けの個別データの開始時刻情報が含まれている。
【００７３】
図９は、基本フレームによる個別データの送信例を説明するための図の続きであり、管理サーバ２が論理グループ０に属する無線端末５に向けて基本フレームによる情報を送信する場合を表している。
論理グループ０の無線端末５のうち、中継機３ｂの中継機グループに属する無線端末５は、中継機３ｂから送信される同期信号に同期している。
そして、当該無線端末５は、中継機３ｂから送信されてくる同期信号の端末リスト情報の有無を判断し、端末リスト情報が存在する場合には、端末リスト情報で指定されているタイミングで端末リストを受信し、更に、端末リストに自己の端末ＩＤが指定されている場合には、端末リストで指定されたタイミングで個別データを受信する。
このように、当該端末リストには、中継機３ｂ配下の論理グループ０向けの個別データの開始時刻情報が含まれている。
【００７４】
一方、論理グループ０の無線端末５のうち、中継機３ｃの中継機グループに属する無線端末５は、中継機３ｃから送信される同期信号に同期している。
そして、当該無線端末５は、中継機３ｃから送信されてくる同期信号の端末リスト情報の有無を判断し、端末リスト情報が存在する場合には、端末リスト情報で指定されているタイミングで端末リストを受信し、更に、端末リストに自己の端末ＩＤが指定されている場合には、端末リストで指定されたタイミングで個別データを受信する。
このように、当該端末リストには、中継機３ｃ配下の論理グループ０向けの個別データの開始時刻情報が含まれている。
【００７５】
以上のように、基本フレームの同期信号を中継機３ごとに時分割することにより、１つの基本フレームで、複数の中継機グループに渡って情報を送信することができる。
なお、以上の図８（ａ）、（ｂ）及び図９では、基本フレームを論理グループごとに構成したが、１つの基本フレームによって複数の論理グループに情報を送信することもできる。
例えば、図９で中継機３ｂに関連づけられた無線端末５を論理グループｉとし、中継機３ｃに関連づけられた無線端末５を論理グループｊ（ｉとｊは異なる）とすることも可能である。
【００７６】
図１０（ａ）は、管理サーバ２が行うデータ受付処理を説明するためのフローチャートである。
以下の処理は、管理サーバ２のＣＰＵ２１（図２）が所定のプログラムに従って行うものである。
まず、ＣＰＵ２１は、無線端末５に表示する内容を規定する表示用のデータを受け付ける（ステップ５）。
この受付処理は、担当者が表示部２５を見ながら所定のアプリケーションを操作部２６で操作したり、あるいは、店頭の担当者が携帯端末を操作したりして、ＣＰＵ２１が、対象となる無線端末５の表示内容などを受け付けることにより行われる。
【００７７】
ＣＰＵ２１は、表示用のデータを受け付けると、これをＲＡＭ２２に形成されている送信待機行列に記憶・登録する（ステップ１０）。
そして、ＣＰＵ２１は、表示対象となっている無線端末５に対する送信データの作成タイミングが来るまでタイミング待ちを行う（ステップ１５）。
【００７８】
図１０（ｂ）は、管理サーバ２が行う状態切替処理を説明するためのフローチャートである。
ＣＰＵ２１は、送信データの作成タイミング待ちになると、送信対象となっている無線端末５の属する論理グループをアクティブ状態にするように、アクティブグループ情報を管理するモジュールにアクティブ／非アクティブ切替指示を行う（ステップ２０）。
【００７９】
次に、ＣＰＵ２１は、現在送信しているアクティブグループ情報（ＲＡＭ２２に記憶している）を構成する状態ビットのうち、指示を受けた論理グループの状態をアクティブ状態に設定することにより、アクティブグループ情報を切り替える（ステップ２５）。
なお、既に当該論理グループがアクティブ状態に設定されている場合は、当該アクティブ状態を維持する。
【００８０】
次に、ＣＰＵ２１は、切替後のアクティブグループ情報を送信するための送信データ（基本フレーム）を作成する（ステップ３０）。
当該送信データは、速やかに各無線端末５に送信され、以降、表示用データの送信対象となっている無線端末５の属する論理グループはアクティブ状態となる。
【００８１】
なお、この例では、非アクティブ状態の論理グループをアクティブ状態に切り替えたが、アクティブ状態の論理グループを非アクティブ状態に切り替える場合も同様である。
この場合、ＣＰＵ２１は、ＲＡＭ２２に記憶してある現在のアクティブグループ情報において、該当する論理グループの状態ビットを１から０に切り替えて、基本フレームによって無線端末５に送信する。
【００８２】
図１１（ａ）は、管理サーバ２が無線端末５にデータを送信するデータ送信処理を説明するためのフローチャートである。
ＣＰＵ２１は、論理グループｎ（ｎはグループ番号）の同期期間データ（各中継機３向けの同期信号）を作成する（ステップ４０）。
次に、ＣＰＵ２１は、論理グループｎの待ち行列データを取り出し（ステップ４５）、個別取り出したデータから個別データを作成すると共に、送信対象となっている無線端末５の端末ＩＤを端末リストに設定することにより端末リストを作成する（ステップ５０）。
【００８３】
なお、端末ＩＤの代わりに、端末ＩＤに対応させたショートアドレスを使用して無線通信する情報量を低減する場合があり、この場合は、端末ＩＤとしてショートアドレス使用ビットを付与する（ステップ５５）。
【００８４】
次に、ＣＰＵ２１は、以上のようにして作成した同期期間データ、個別データ、端末リストを基本フレームに設定し、更に、基本フレームに空きがあるか否かを確認する（ステップ６０）。
基本フレームに空きがない場合（ステップ６０；Ｎ）、ＣＰＵ２１は、基本フレームに設定されている情報を中継機３へ送信する（ステップ７０）。
一方、基本フレームにまだ空きがある場合（ステップ６０；Ｙ）、当該基本フレームにまだ情報を設定することができるため、ＣＰＵ２１は、論理グループｎの待ち行列データがあるか否かを確認する（ステップ６５）。
【００８５】
論理グループｎの待ち行列データがない場合（ステップ６５；Ｎ）、ＣＰＵ２１は、基本フレームに設定されている情報をＬＡＮ接続Ｉ／Ｆ２７によって中継機３へ送信する（ステップ７０）。
論理グループｎの待ち行列データがある場合（ステップ６５；Ｙ）、ＣＰＵ２１は、ステップ４０に戻って、空き部分に当該待ち行列データが設定された基本フレームを作成する。
【００８６】
図１１（ｂ）は、中継機３が行う中継機処理を説明するためのフローチャートである。
以下の処理は、ＣＰＵ３１（図２）が所定のプログラムに従って行う。
ＣＰＵ３１は、管理サーバ２からデータをＬＡＮ接続Ｉ／Ｆ３５で受信すると（ステップ８０）、これを近距離無線Ｉ／Ｆ３６によって無線端末５に送信する（ステップ８５）。
【００８７】
図１２は、無線端末５が行う表示処理を説明するためのフローチャートである。
以下の処理は、ＣＰＵ５１（図２）が所定のプログラムに従って行うものである。
まず、ＣＰＵ５１は、棚に設置された後、無線通信システム１に参加して、管理サーバ２から中継機３との関連づけを受けたり、図１１のステップ５５にあるショートアドレスの付番を受けたり、論理グループ番号の設定を受けて記憶媒体５３（図２）に記憶するなどして初期化を行う（ステップ１００）。
次に、ＣＰＵ５１は、自己が関連づけられた中継機３が同期信号を送信するタイミングで同期信号を受信し、アクティブグループ情報をＲＡＭ５２に記憶すると共に、当該同期信号に端末リスト情報が存在するか否かを確認する（ステップ１０５）。
端末リスト情報が存在しない場合（ステップ１０５；Ｎ）、当該基本フレームには個別データが存在しないため、ＣＰＵ５１は、ステップ１３０の処理に移行する。
【００８８】
端末リスト情報が存在する場合（ステップ１０５；Ｙ）、基本フレームに自己宛の個別データが存在する可能性があるため、ＣＰＵ５１は、無線端末５の受信動作を一端休止状態とした後、端末リストを受信するタイミングで起床して端末リストを受信する（ステップ１１０）。
そして、ＣＰＵ５１は、記憶媒体５３に記憶している自己の端末ＩＤが端末リストにあるか否かを確認することにより、自己宛の個別データがあるか否かを判断する（ステップ１１５）。また、ショートアドレスを使用する場合は、端末リストに自己のショートアドレスがあるか否かにより、自己宛の個別データがあるか否かを判断する。
【００８９】
端末リストに自己の端末ＩＤがなく、当該基本フレームに自己宛の個別データがないと判断した場合（ステップ１１５；Ｎ）、ＣＰＵ５１は、ステップ１３０の処理に移行する。
端末リストに自己の端末ＩＤがあり、自己宛の個別データがあると判断した場合（ステップ１１５；Ｙ）、ＣＰＵ５１は、無線端末５の受信動作を一端休止状態とした後、個別データを受信するタイミングで起床して個別データを受信する（ステップ１２０）。
【００９０】
ＣＰＵ５１は、個別データを受信すると、これをＲＡＭ５２に記憶し、当該記憶した個別データを用いて表示部５５に表示を行い、表示内容を更新する（ステップ１２５）。
次に、ＣＰＵ５１は、ＲＡＭ５２に記憶したアクティブグループ情報のうち、自己の論理グループに該当する状態ビットがアクティブか否かを確認する（ステップ１３０）。
状態ビットがアクティブであった場合（ステップ１３０；Ｙ）、ＣＰＵ５１は、次回の起床タイミングを３秒後に設定し（ステップ１３５）、待機状態が非アクティブであった場合（ステップ１３０；Ｎ）、ＣＰＵ５１は、次回の起床タイミングを３０秒後に設定し（ステップ１４０）、無線端末５の受信動作を休止状態にしてステップ１０５の処理に戻る。
【００９１】
以上に説明した本実施の形態により、次のような効果を得ることができる。
（１）管理サーバ２は、無線端末５に論理グループを設定し、論理グループ単位で同期間隔が３秒間隔のアクティブ状態と、同期間隔が３０秒間隔の非アクティブ状態を設定することができ、また、当該設定の変更を行うこともできる。
（２）管理サーバ２は、個別データ送信先となっている無線端末５の属する論理グループをアクティブ状態とし、それ以外の論理グループを非アクティブ状態とすることにより、個別データの送信先となっている無線端末５のレスポンスを高めると共に、非アクティブ状態の無線端末５の消費電力を低減することができる。
【００９２】
（３）管理サーバ２は、アクティブグループ情報にビット情報を設定することにより、無線端末５に対して次の同期信号の受信タイミングを指定することができる。
（４）管理サーバ２が各無線端末５に宛てて送信する同期信号に、論理グループごとにアクティブな論理グループ、非アクティブな論理グループを指定するビット情報であるアクティブグループ情報を付与することができる。
【００９３】
（５）短周期基本フレーム長（３秒固定）で運用しているシステムにおいて、同期間隔は一律同じ時間であるが、非アクティブな論理グループは、同期間隔をこのルールからはずれた別の同期間隔（たとえば６０秒）とすることができ、論理グループごとに異なる間欠動作が可能になる。
（６）アクティブな論理グループは、短い同期間隔で管理サーバ２と同期するため、管理サーバ２の指示に対する反応速度が速く、素早い表示切り替えに対応できる。一方、非アクティブな論理グループは、アクティブな論理グループよりも長い同期間隔で同期を維持することができ、省電力な動作となる。この様に、無線端末５の論理グループごと（商品棚ごと、商品カテゴリごと）に細かい動作モードの制御が可能になり、省電力なシステムが実現できる。
【００９４】
以上に説明した本実施の形態では、論理グループごとにアクティブ状態、非アクティブ状態を設定したが、論理グループごとではなく、無線端末５ごとに設定することも可能である。
この場合は、アクティブグループ情報の状態ビットを無線端末５の数だけ用意し、各状態ビットを個々の無線端末５に対応させる。
すると、管理サーバ２は、無線端末５ごとに状態ビットを設定することにより、無線端末５ごとにアクティブ状態、非アクティブ状態を設定することができる。
【００９５】
また、各実施の形態では、非アクティブ状態の同期間隔を３０秒としたが、例えば、１５秒や４５秒にするなど、基本フレームの期間長（３秒）の自然数倍の他の値とすることも可能である。
更に、各実施の形態では、アクティブ状態（３秒）と非アクティブ状態（３０秒）の２種類の同期間隔が存在したが、例えば、第１の状態（３秒）、第２の状態（１５秒）、第３の状態（３０秒）というように、３種類以上の同期間隔が存在するように構成することも可能である。この場合は、アクティブグループ情報の状態ビットを複数ビットにすることにより、無線端末５に３種類以上の同期間隔を指定することができる。
【００９６】
加えて、本実施の形態では、論理グループごとに状態を設定したが、中継機グループごとに設定するように構成してもよい。この場合は、中継機グループと論理グループが一致する場合と考えることができる。
また、各論理グループのアクティブ状態・非アクティブ状態の状態切り替えは、個別データの送信の際に自動的に切り替えることができるが、例えば、管理サーバ２の画面上で担当者が設定してもよい。
更に、非アクティブ状態の論理グループの同期間隔を更に長く（例えば、６０秒モード）で動作させることもでき、この場合、更なる省電力が期待できる
【００９７】
（第２の実施の形態）
図１３は、第２の実施の形態の無線通信システム１のネットワーク構成の一例を示した図である。
第２の実施の形態は、例えば、映画のチケットや印紙など、金銭的な価値を有する商品を窓口で販売する販売店に関するものである。第１の実施の形態と同じ要素には同じ符号を付し、説明を簡略化、若しくは省略する。
【００９８】
窓口は、販売員８が商品を顧客に販売する際に、顧客から代金を受け取ると共に顧客に商品を手渡すために設けられている。各窓口の内側には、販売員８０ａ〜８０ｄ（以下、特に区別しない場合は販売員８０と記す）が着座できるようになっている。
販売員端末７０ａ〜７０ｄ（以下、特に区別しない場合は販売員端末７０と記す）は、例えば、有線ＬＡＮなどで管理サーバ２に接続しており、販売員用の画面を表示したり、販売員８０のログイン・ログアウトを受け付けたりする。
【００９９】
棚６０ａ〜棚６０ｄ（以下、特に区別しない場合は棚６０と記す）は、無線端末５が設置された引出６１を複数個備えており、例えば、一番上部の引出６１には商品Ａ、上から２番目の引出６１には商品Ｂ、・・・といったように、引出６１には、各商品が引出６１ごとに区分されて収納されている。
そして、無線端末５には、引出６１に現在収納されている商品の数量が表示される。なお、図で無線端末５に記載されている数字は端末ＩＤである。
棚６０には、例えば、棚６０ａは販売員８０ａ、棚６０ｂは販売員８０ｂ、・・・・といったように販売員８０が割り当てられている。
【０１００】
管理サーバ２は、棚６０ごとに無線端末５の論理グループを形成し、無線端末５の表示内容を管理している。
例えば、棚６０ａの引出６１に設置されている無線端末５は、論理グループ０に区分され、棚６０ｂの引出６１に設置されている無線端末５は、論理グループ１に区分されている。
また、棚６０は、各販売員８０に割り当てられているため、販売員８０ごとに論理グループが設定されているということもできる。
中継機３は、管理サーバ２と無線端末５の通信を中継する。
【０１０１】
以上のように構成された無線通信システム１において、管理サーバ２は、ログオフ状態にある販売員８０の棚６０に設置された無線端末５を非アクティブ状態に設定し、業務で使用されていない無線端末５の消費電力を低減する一方、販売員８０がログインすると、当該販売員８０の棚６０に設置された無線端末５をアクティブ状態にする。
そして、管理サーバ２は、販売員８０が顧客から注文を受けた商品とその数量を販売員端末７０に入力すると、当該商品を収納している引出６１の無線端末５を反転表示し、販売員８０が商品の販売を完了した旨を販売員端末７０に入力すると、引出６１の無線端末５に表示されている在庫数量を更新する。
【０１０２】
図１４（ａ）は、無線通信システム１におけるログイン処理を説明するためのフローチャートである。
ＣＰＵ２１（図２）は、販売員端末７０において販売員８０が入力したユーザＩＤとパスワードの送信を販売員端末７０から受けることにより、当該販売員８０を認証し、ログイン要求を受け付けるようになっている。
【０１０３】
そこで、ＣＰＵ２１は、ログイン要求を受け付けたか否か監視し（ステップ２０５）、ログイン要求を受け付けていない場合は（ステップ２０５；Ｎ）、ステップ２０５で引き続き監視を継続し、ログイン要求を受け付けた場合は（ステップ２０５；Ｙ）、当該販売員８０に関連づけられている棚６０に設定された論理グループの無線端末５を非アクティブ状態からアクティブ状態に切り替える（ステップ２１０）。
以上の処理により、販売員８０が販売員端末７０（何れの販売員端末７０でもよい）でログインすると、当該販売員８０の棚６０に設置されている無線端末５がアクティブ状態に切り替わり、高速なレスポンスを行えるようになる。
【０１０４】
図１４（ｂ）は、無線通信システム１におけるログアウト処理を説明するためのフローチャートである。
ＣＰＵ２１は、以下の処理をログイン状態にある販売員８０に対して行う。
ＣＰＵ２１は、販売員端末７０において販売員８０が入力したログアウト要求を販売員端末７０が受けることにより、ログアウト処理をするようになっている。
【０１０５】
そこで、ＣＰＵ２１は、ログアウト要求を受け付けたか否か監視し（ステップ２１５）、ログアウト要求を受け付けていない場合は（ステップ２１５；Ｎ）、ステップ２１５で引き続き監視を継続し、ログアウト要求を受け付けた場合は（ステップ２１５；Ｙ）、当該販売員８０に関連づけられている棚６０に設定された論理グループの無線端末５をアクティブ状態から非アクティブ状態に切り替える（ステップ２２０）。
以上の処理により、販売員８０が販売員端末７０でログアウトすると、当該販売員８０の棚６０に設置されている無線端末５が非アクティブ状態に切り替わり、無線端末５の電力消費を低減する。
【０１０６】
図１４（ｃ）は、商品管理処理を説明するためのフローチャートである。
管理サーバ２は、以下の処理をログイン状態にある販売員８０に対して行う。
ＣＰＵ２１は、ログイン状態にある販売員８０の販売員端末７０から販売する商品と数量を受け付けたか否かを監視する（ステップ２２５）。
受け付けていない場合（ステップ２２５；Ｎ）、ＣＰＵ２１は、ステップ２２５で引き続き監視を継続する。
【０１０７】
一方、販売員端末７０から商品と数量を受け付けた場合（ステップ２２５；Ｙ）、ＣＰＵ２１は、当該商品の収納されている引出６１に設置されている無線端末５を反転表示させる（ステップ２３０）。
これにより、販売員８０は、対象となる商品が収納されている引出６１を迅速に認識することができる。
【０１０８】
販売員８０は、商品を取り出して顧客に販売すると、販売が完了した旨を販売員端末７０に入力するが、ＣＰＵ２１は、当該販売員８０の販売員端末７０から販売完了を受け付けたか否かを監視する（ステップ２３５）。
受け付けていない場合（ステップ２３５；Ｎ）、ＣＰＵ２１は、引き続きステップ２３５で監視を継続する。
一方、当該販売員８０の販売員端末７０から販売完了を受け付けた場合（ステップ２３５；Ｙ）、ＣＰＵ２１は、商品の販売前数量から販売数量を減算して現在の商品数量を計算し、当該商品の引出６１の無線端末５に表示されている商品数量を計算後の数量に更新する（ステップ２４０）。
【０１０９】
（第３の実施の形態）
第１の実施の形態、及び第２の実施の形態では、表示を書き換える無線端末５の属する論理グループをアクティブ状態に設定して高速なレスポンスを確保し、その他の論理グループを非アクティブ状態に設定して、消費電力の低減を図った。
ところで、非アクティブ状態の論理グループに属する無線端末５も、最初の基本フレームに対しては、端末リスト情報を確認して個別データの受信を行うことができる。
そこで、第３の実施の形態では、アクティブ状態の論理グループと非アクティブ状態の論理グループの何れに対しても無線端末５の表示を書き換える。
【０１１０】
この形態では、アクティブ状態の論理グループに属する無線端末５は、３秒以内のレスポンスで表示を書き換えることができ、非アクティブ状態の論理グループに属する無線端末５は、３０秒以内のレスポンスで表示状態を書き換えることができるため、例えば、ホームセンターに隣接して家具売場が存在するといったように、高速なレスポンスが必要な売場（ホームセンター）に低速なレスポンスで足りる売場（家具売場）が隣接して存在する場合などに有効である。
【０１１１】
本実施の形態では、上の例では、ホームセンター側では、第１の実施の形態と同様に、アクティブ状態と非アクティブ状態を切り替えながら無線端末５を管理し、家具売場側では、非アクティブ状態のまま、表示内容を書き換える。
このように、本実施の形態では、非アクティブ状態の論理グループに属する無線端末５に対しても表示内容を書き換えることができる。
【０１１２】
以上に説明した各実施の形態により、次のような構成を得ることができる。
無線端末５は、受信回路（の受信動作）の休止状態を維持する一方、少なくとも自己に対する所定の情報（同期信号、アクティブグループ情報、端末リスト情報、端末リスト、個別データなど）を受信する期間は前記受信回路を動作させる無線端末として機能しており、管理サーバ２は、このような無線端末に対して、（時分割した）所定の期間長のフレームによって情報を送信する情報処理装置として機能している。
そして、管理サーバ２は、基本フレームの期間長を単位として、無線端末５ごと（実施の形態は論理グループごとであるが、無線端末ごとも可能）に同期間隔を指定し、当該指定した同期間隔を前記無線端末５に通知する同期間隔情報（アクティブグループ情報）を生成する同期間隔指定手段と、前記フレームの同期情報（同期信号）、前記生成した同期間隔情報、前記無線端末ごとの個別データ、及び当該個別データの受信タイミング（端末リスト情報、端末リスト）を用いてフレームを構成する（時分割）フレーム構成手段と、前記フレームに構成された情報を送信する通信手段を備えている。
【０１１３】
また、アクティブグループ情報は同期信号に含まれているため、前記フレーム構成手段は、前記同期情報に前記同期間隔情報を含めている。
【０１１４】
アクティブ状態における同期間隔（３秒）より、非アクティブ状態における同期間隔（３０秒）は長く設定されており、第１の実施の形態では、前記同期間隔には、第１の同期間隔（アクティブ状態の同期間隔）と、前記第１の同期間隔よりも長い第２の同期間隔（非アクティブ状態の同期間隔）があり、前記フレーム構成手段は、前記第２の同期間隔を指定する無線端末に対しては、前記個別データと前記受信タイミング（端末リスト）を前記フレームに含めない。
即ち、前記フレーム構成手段は、データ送信完了までの時間を短くする目的で、前記個別データと前記受信タイミング（端末リスト）を送信する場合にはグループをアクティブ状態とし、個別データと前記受信タイミングを送信しない場合には無線端末５の小異電力を低減するためにグループを非アクティブ状態とする。
【０１１５】
また、同期信号には、個別データの有無を表す端末リスト情報が含まれているため、前記同期情報（同期信号）には、前記無線端末に個別データの有無を通知する個別データ有無情報（端末リスト情報）が含まれている。
【０１１６】
また、管理サーバ２は、無線端末５を論理グループに区分して端末ＤＢに記憶するため、前記無線端末をグループ（論理グループ）に区分して記憶するグループ記憶手段（端末ＤＢ）を具備し、前記同期間隔指定手段は、前記記憶したグループごとに同期間隔を指定している。
【０１１７】
また、管理サーバ２は、担当者から無線端末５の表示の更新などの要求を受け付けると、当該無線端末５の属する論理グループの同期期間を３秒となるように指示するため、前記区分したグループごとに同期間隔の要求を受け付ける同期間隔要求受付手段を具備し、前記同期間隔指定手段は、前記受け付けた要求に従って前記グループごとの同期間隔を指定している。
【０１１８】
また、管理サーバ２は、論理グループに対応させて並べた状態ビットの列であるアクティブグループ情報を生成し、当該アクティブグループ情報は同期間隔情報として機能するため、前記（時分割）フレーム構成手段は、同期間隔を規定する数値（状態ビット）を前記グループに対応させて並べた当該数値の列によって前記同期間隔情報を生成している。
【０１１９】
無線端末５は、所定の期間長のフレームによって情報を送信する情報処理装置が送信した情報を、受信回路を動作させることにより受信する無線端末として機能しており、無線端末５は、同期信号に含まれるアクティブグループ情報を受信するため、前記フレームの期間長を単位とする同期間隔を指定する同期間隔情報（アクティブグループ情報）を受信する同期間隔情報受信手段を備えている。
また、無線端末５は、アクティブグループ情報で指定された同期間隔で次回の同期信号を受信するため、前記受信した同期間隔情報で指定される同期間隔で同期情報を受信する同期情報受信手段を備えている。
更に、無線端末５は、同期をとりながら端末リストを受信し、当該端末リストで指定されているタイミングで個別データを受信するため、前記受信した同期情報に同期して自己宛の個別データの受信タイミング（端末リスト）を受信する受信タイミング受信手段と、前記受信した受信タイミングに従って個別データを受信する個別データ受信手段を備えている。
そして、無線端末５は、少なくともこれらの情報を受信する期間は受信動作を行い、それ以外の期間では休止状態となるため、少なくとも前記同期間隔情報、前記同期情報、前記受信タイミング、前記個別データを受信する期間は前記受信回路を動作状態とし、それ以外の期間は休止状態とする、状態制御手段を備えている。
【０１２０】
アクティブグループ情報は同期信号に含まれており、無線端末５は、同期信号を受信することによりアクティブグループ情報も受信するため、前記同期間隔情報は、前記同期情報に含まれており、前記同期情報受信手段は、前記同期間隔情報を受信することにより前記同期間隔情報受信手段として機能している。
【０１２１】
前記同期情報には、前記無線端末に個別データの有無を通知する個別データ有無情報（端末リスト情報）が含まれており、無線端末５は、端末リスト情報によって個別データがないと判断した場合、次回の同期信号受信タイミングまで休止状態となるため、前記状態制御手段は、前記個別データ有無情報で自己宛の個別データの有無を判断し、自己宛の個別データがない場合、次回の同期情報を受信するタイミングまで前記受信回路を休止状態にする。
【０１２２】
無線端末５は、記憶媒体５３に自己の論理グループを記憶しており、当該論理グループに対して指定された同期間隔で同期を行うため、同期間隔情報は、無線端末のグループ（論理グループ）ごとに同期間隔を指定しており、自己の属するグループを記憶するグループ記憶手段（記憶媒体５３）を具備し、前記同期情報受信手段は、前記記憶したグループに対して指定されている同期間隔で前記同期情報を受信している。
【０１２３】
無線端末５は、アクティブグループ情報において、自己の論理グループに対応する状態ビットで指定される同期間隔を取得するため、前記同期間隔情報は、前記グループ（論理グループ）に対応させて並べた数値（状態ビット）の列によって規定されており、前記同期情報受信手段は、前記記憶したグループに対応する数値によって指定されている同期間隔を取得している。
【０１２４】
図１５は、第１の実施〜第３の実施の形態において、管理サーバ２、中継機３、無線端末５の有する各手段を示した図である。
管理サーバ２は、以下の構成を有する。
外部操作手段２０１は、操作部２６（図２）を用いて構成され、店舗の担当者などからの操作を受け付ける。
表示手段２０２は、表示部２５を用いて構成され、店舗の担当者に各種画面などを表示する。
フレーム構成手段２０３は、同期信号を作成したり個別データを設定したりなどして基本フレームを作成する。
【０１２５】
同期間隔指定手段２０４は、無線端末５ごとに同期間隔（アクティブ状態、非アクティブ状態）を指定し、同期間隔情報（アクティブグループ情報）を生成する。
グループ記憶手段２０５は、無線端末５を論理グループに区分して記憶する。
同期間隔要求受付手段２０６は、例えば、外部操作手段２０１で担当者の操作を受け付けるなどして論理グループごとの同期間隔の要求を受け付ける。
通信手段２０７は、ＬＡＮ接続Ｉ／Ｆ２７を用いて中継機３の通信手段３０１と通信する
送信スケジュール設定手段２０８は、送信データを送出するためのスケジュールを設定する。
端末リスト個別データ作成手段２０９は、端末リストを作成する。
制御手段２１１は、上記各手段を制御する。
【０１２６】
中継機３は、以下の構成を有する。
通信手段３０１は、ＬＡＮ接続Ｉ／Ｆ３５を用いて構成されており、管理サーバ２の通信手段２０７と通信する。
データ受信手段３０３とデータ送信手段３０４は、近距離無線Ｉ／Ｆ３６を用いて構成されており、それぞれ無線端末５のデータ送信手段５０２からのデータの受信、及び無線端末５のデータ受信手段５０３へのデータの送信を行う。
制御手段３０２は、所定のプログラムをＣＰＵ３１で実行することにより構成され、上記各手段を制御する。
【０１２７】
無線端末５は、以下の手段を有する。
表示手段５０１は、表示部５５を用いて構成されており、個別データを用いて表示内容の更新などを行う。
データ送信手段５０２とデータ受信手段５０３は、近距離無線Ｉ／Ｆ５６を用いて構成されており、それぞれ中継機３のデータ受信手段３０３へのデータの送信、及び中継機３のデータ送信手段３０４からのデータ受信を行う。
同期間隔情報受信手段５０４は、同期間隔情報（アクティブグループ情報）を受信する。
受信タイミング受信手段５０５は、自己宛の個別データの受信タイミング（端末リスト情報、端末リスト）を受信する。
グループ記憶手段５０６は、自己の論理グループを記憶する。
同期情報受信手段５０７は、同期間隔情報（アクティブグループ情報）で指定される間隔で同期信号を受信する。
個別データ受信手段５０８は、端末リストで指定されたタイミングで個別データを受信する。
状態制御手段５０９は、受信回路の動作状態と休止状態を制御する。
【０１２８】
また、管理サーバ２によって次の情報処理装置を構成することもできる。
無線端末群から所定の同期期間で同期させる無線端末を指定する指定手段と、前記指定した無線端末を前記所定の同期期間で同期させながら当該無線端末に個別のデータを送信するデータ送信手段と、前記指定手段で指定されなかった無線端末を前記同期期間よりも長い同期期間で同期させると共に、当該同期期間での受信動作を休止させる休止手段と、を具備したことを特徴とする情報処理装置（第１の構成）。
前記無線端末群をグループに分けて記憶するグループ記憶手段を具備し、前記指定手段は、前記区分したグループ単位で無線端末を指定することを特徴とする第１の構成の情報処理装置（第２の構成）。
前記グループの指定要求を受け付ける指定要求受付手段を具備し、前記指定手段は、前記指定要求を受け付けたグループに属する無線端末を指定することを特徴とする第２の構成の情報処理装置（第３の構成）。
指定されているグループの指定を解除する解除要求を受け付ける解除要求受付手段と、前記解除要求を受け付けたグループに属する無線端末の指定を解除する解除手段と、を具備したことを特徴とする第３の構成の情報処理装置（第４の構成）。
【符号の説明】
【０１２９】
１  無線通信システム
２  管理サーバ
３  中継機
５  無線端末
６  中継機グループ
２１  ＣＰＵ
２２  ＲＡＭ
２３  記憶媒体
２４  クロック
２５  表示部
２６  操作部
２７  ＬＡＮ接続Ｉ／Ｆ
３１  ＣＰＵ
３２  ＲＡＭ
３３  記憶媒体
３４  クロック
３５  ＬＡＮ接続Ｉ／Ｆ
３６  近距離無線Ｉ／Ｆ
５１  ＣＰＵ
５２  ＲＡＭ
５３  記憶媒体
５４  ＲＯＭ
５５  表示部
５６  近距離無線Ｉ／Ｆ
５７  バッテリ
５９  クロック
【図１】
2011171993.tif 000003
【図２】
2011171993.tif 000004
【図３】
2011171993.tif 000005
【図４】
2011171993.tif 000006
【図５】
2011171993.tif 000007
【図６】
2011171993.tif 000008
【図７】
2011171993.tif 000009
【図８】
2011171993.tif 000010
【図９】
2011171993.tif 000011
【図１０】
2011171993.tif 000012
【図１１】
2011171993.tif 000013
【図１２】
2011171993.tif 000014
【図１３】
2011171993.tif 000015
【図１４】
2011171993.tif 000016
【図１５】
2011171993.tif 000017